(57)【特許請求の範囲】
【請求項１】
火災感知器と信号線および共通線からなる感知器回線を介して接続される火災受信機における端子台に収容され、上記火災感知器からの上記信号線と上記端子台の内部で接続される１つまたは複数のチェックピンと；
上記チェックピンを固定する筐体と；
上記チェックピンを、上記火災受信機に設けられ、上記火災感知器が火災信号を出力する上記感知器回線の状態を各火災感知器に対応させて記憶する記憶手段に接続する接続用リード線と；
上記筐体に設けられている第１の係合手段であって、上記端子台に設けられている第２の係合手段と係合する第１の係合手段と；
を有することを特徴とする端子台用接続治具。
【発明の詳細な説明】
【技術分野】
【０００１】
本発明は、火災受信機における端子台用接続治具に関する。
【背景技術】
【０００２】
所定の防火対象物となる建物等には、消防用設備として火災報知設備の設置が義務付けられている。また、火災報知設備を定期的に点検することも義務付けられ、火災感知器が正常に動作して火災警報を発するかどうかを点検し、この点検結果を消防署等に提出する必要がある。このようにして、設備の維持管理が図られている。
【０００３】
火災感知器には、煙感知器や熱感知器等が用いられ、熱感知器を動作させるためには、動作試験器として、長いロッドの先に筒状のチャンバを付け、チャンバ内に設けられているヒータ等によって熱を加える加熱試験器を、熱感知器に当接し、熱感知器を動作させる。煙感知器を動作させるためには、上記チャンバ内で擬似的な煙を発生させる加煙試験器を、天井面等に設置されている煙感知器に当接し、煙感知器を動作させる。
【０００４】
このような火災感知器の点検作業を行い、しかも、火災感知器の点検漏れをなくすために、各火災感知器の型式番号、製造年、製造番号等の情報を読み出すシステムが知られ、電磁誘導波によって非接触かつ省電力で情報を読み書きできるＩＣタグを利用することが提案されている（たとえば、特許文献１、特許文献２参照）。
【先行技術文献】
【特許文献】
【０００５】
【特許文献１】特開平１０−１７７６９５号公報
【特許文献２】特開２００５−２０８８８５号公報
【発明の概要】
【発明が解決しようとする課題】
【０００６】
ところで、建物に設置された火災感知器を個々に動作させる動作試験の際、各火災感知器にＲＦＩＤのタグを貼付して、そこに個別の番号等を記憶して、感知器用試験器のリーダで読み出し、動作させた火災感知器の情報を収集する動作試験が提案されている。
【０００７】
この感知器用試験器が火災感知器の情報を収集しただけでは、火災感知器が確実に火災信号を出力したのかを判断することができない。
【０００８】
どの火災感知器が火災信号を出力したのかを判断するためには、まず、火災信号を受信する火災受信機は、回線状態から火災信号を検出し、この検出された火災信号を記憶する記憶装置を設置する。そして、感知器用試験器が各火災感知器のＲＦＩＤのタグから読み込んだ個別の番号等の情報と、火災受信機が検出した火災信号とを、対応して照合する必要がある。つまり、タグから読み込んだ個別の番号等の情報と、火災受信機が検出した火災信号とを、個別に対応させ、各火災感知器による火災信号の送出の有無を調べ、火災信号を送出していることを確認できない火災感知器があれば、動作試験としては不良であり、正常に行われなかったことになる。
【０００９】
この提案例では、火災感知器の動作を試験する場合、タグから読み込んだ個別の番号等の情報と、火災受信機が検出した火災信号とを、個別に対応させる必要があり、また、各火災感知器による火災信号の送出の有無を調べる必要があるので、火災感知器の動作試験が煩雑であるという問題がある。
【００１０】
つまり、上記提案例は、感知器回線の状態を火災受信機側で検出する操作が煩雑であるという問題がある。
【００１１】
本発明は、各感知器回線の状態を火災受信機が容易に検出することができる火災受信機における端子台用接続治具を提供することを目的とする。
【課題を解決するための手段】
【００１２】
本発明は、火災受信機における端子台に収容されている火災感知器からの信号線と上記端子台の内部で接続される１つまたは複数のチェックピンと、上記チェックピンを固定する筐体と、上記チェックピンを上記火災受信機に設けられている記憶手段に接続する接続用リード線と、上記筐体に設けられている第１の係合手段であって、上記端子台に設けられている第２の係合手段と係合する第１の係合手段とを有することを特徴とする端子台用接続治具である。
【発明の効果】
【００１３】
本願発明の端子台用接続治具は、火災感知器と信号線および共通線からなる感知器回線を介して接続される火災受信機における端子台に収容され、上記火災感知器からの上記信号線と上記端子台の内部で接続される１つまたは複数のチェックピンと、上記チェックピンを固定する筐体と、上記チェックピンを、上記火災受信機に設けられ、上記火災感知器が火災信号を出力する上記感知器回線の状態を各火災感知器に対応させて記憶する記憶手段に接続する接続用リード線と、上記筐体に設けられている第１の係合手段であって、上記端子台に設けられている第２の係合手段と係合する第１の係合手段とを有することを特徴とする。
【図面の簡単な説明】
【００１４】
【図１】本発明の実施例１である火災受信機における端子台１００と端子台用接続治具５０とを示す断面図である。
【図２】端子台１００の断面を示す図である。
【図３】本発明の火災報知設備を示すブロック図である。
【発明を実施するための形態】
【００１５】
発明を実施するための形態は、以下の実施例である。
【実施例１】
【００１６】
図１は、本発明の実施例１である火災受信機における端子台１００と端子台用接続治具５０とを示す断面図である。
【００１７】
図２は、端子台１００の断面を示す図である。
【００１８】
図３は、火災報知設備１５０の全体を示すブロック図である。
【００１９】
火災報知設備１５０は、火災感知器ＳＥ１、ＳＥ２、ＳＥ３と、ＩＣタグＴ１、Ｔ２、Ｔ３と、火災受信機ＲＥと、複数でもよい感知器回線１３０と、火災感知器の試験器としての加熱試験器７０と、信号処理装置８０と、プリンタ９０とを有する。
【００２０】
火災感知器ＳＥ１は、たとえば火災によって発生する熱による温度上昇を捕らえる差動式スポット型火災感知器であり、ＩＣタグＴ１が貼り付けられている。また、火災感知器ＳＥ１は、動作すると動作表示灯（図示せず）を点灯し、感知器回線１３０に火災信号を出力する。火災を感知すると、いわゆるスイッチング回路によって、感知器回線１３０の共通線、信号線の２本の電線間が低インピーダンス状態になり、これによって、火災受信機ＲＥに火災信号が送出される。なお、火災信号の出力方式は、この方式に限る必要はない。火災感知器ＳＥ１は、監視区画の大きさ等に応じて、必要数が感知器回線１３０に接続されている。
【００２１】
ＩＣタグＴ１は、火災感知器ＳＥ１の本体外周面に貼付され、図示しないが、シート状の基板に、ＩＣチップ部とアンテナ部とが平面状に設けられているものである。ＩＣタグＴ１のＩＣチップ部には、火災感知器ＳＥ１を個別に識別する固有の識別番号が格納されている。この固有の識別番号は、同一設備の中で、さらには同一回線の中で、個々の火災感知器を区別する番号である。また、ＩＣタグＴ１は、自身では電源を持たず、加熱試験器７０に設けられているリーダ７１からの電磁誘導波によって与えられた電力によって作動し、識別情報としての識別番号を送信する。ここで、ＩＣタグＴ１は、シールで貼付する形で設けられるので、煙感知器ＳＥ１の製造時だけでなく、建物等に設置されている感知器にも簡便に貼付して設けることができる。
【００２２】
また、ＩＣタグＴ１は、火災感知器の固有の識別番号のみを保持するだけで十分であるが、火災感知器ＳＥ１の型式番号や製造年等の情報をも同時に格納するようにしてもよい。このようにすることによって、いわゆる型式失効となっている場合や、不具合品を回収したい場合に、上記格納された情報を利用することができ、点検作業とは異なる場面で利用することができる。これらの情報を、リーダ７１が同時に読み出すことができるようにしてもよい。
【００２３】
なお、上記固有の識別番号として、同じ番号の火災感知器が他に存在しないような大きな数、たとえば、２の４５乗までの数字を準備するようにしてもよい。このように大きな数を上記固有の識別番号として使用することによって、火災感知器ＳＥ１にＩＣタグＴ１を無作為に貼付しても、識別番号が重複することがない。また、ＩＣタグＴ１を含む大量のＩＣタグを一度に製造しても、識別番号の重複がなく、コスト面で有利であり、小規模な設備において、大きな負担なしに導入できるというメリットがある。
【００２４】
なお、火災感知器ＳＥ２には、火災感知器ＳＥ２の固有の識別情報を格納し、ＩＣタグＴ１と同様のＩＣタグＴ２が貼り付けられ、火災感知器ＳＥ３には、火災感知器ＳＥ３の固有の識別情報を格納し、ＩＣタグＴ１と同様のＩＣタグＴ３が貼り付けられている。
【００２５】
以下の説明では、火災感知器ＳＥ１〜ＳＥ３を代表して、火災感知器ＳＥ１に着目して説明し、必要な場合には火災感知器ＳＥ２、ＳＥ３にも記述する。
【００２６】
火災受信機ＲＥは、火災感知器ＳＥ１が出力する火災信号を、感知器回線１３０を介して受信し、火災警報等の必要な火災動作を行い、詳細な説明は省略するが、火災受信機ＲＥの盤面において、火災発生の表示を行うとともに、いわゆる主音響が鳴動され、また、必要な地区音響の鳴動（一斉鳴動または地区鳴動の方式で）を制御する。
【００２７】
火災受信機ＲＥは、いわゆるＰ型である。感知器回線１３０を低インピーダンス状態にすることによって火災信号が出力されるので、この状態を監視して、火災信号を検出する受信回路（図示せず）が、火災受信機ＲＥに設けられている。
【００２８】
また、火災受信機ＲＥには、端子部ＲＥｔを介して、記憶装置Ｍ１が設けられ、記憶装置Ｍ１は、火災受信機ＲＥ内に固定されてもよいが、火災受信機ＲＥの端子部ＲＥｔに着脱可能である。
【００２９】
感知器回線１３０は、火災受信機ＲＥの筐体内に引き込まれ、所定の端子に接続されることによって、火災受信機ＲＥの受信回路に接続されている。
【００３０】
加熱試験器７０は、火災感知器ＳＥ１を点検するために用いられる動作試験器であり、ロッドの先端に設けたフード内に設けられているヒータ等の発熱体または蓄熱体から火災感知器ＳＥ１に熱を伝え、火災感知器ＳＥ１を動作させる。ここで、火災感知器ＳＥ１に対して加熱試験器７０を用いるが、火災感知器が煙感知器である場合には、加煙試験器が用いられ、火災感知器の種別に応じて対応する試験器が用いられる。
【００３１】
この加熱試験器７０には、リーダ７１と、記憶手段７２とが設けられている。リーダ７１は、電磁誘導波を利用して非接触で、ＩＣタグＴ１に格納されている識別情報（識別番号）を読み出す。記憶手段７２は、リーダ７１が読み出した識別番号等の識別情報を、発報情報として格納し、また、その読み出した時刻をも格納する。
【００３２】
リーダ７１は、ＩＣタグＴ１への電磁誘導波の発信後に、ＩＣタグＴ１から、火災感知器ＳＥ１の固有の識別情報を無線受信する。
【００３３】
信号処理装置８０は、読込手段８１と、ソート手段８２と、点検票のデータ作成手段８３と、暗号化手段８４と、保存手段８５と、表示手段８６と、印刷開始ボタン８７と、時刻更新手段８８とを有する。
【００３４】
読込手段８１は、火災感知器のＩＤと、上記火災感知器のＩＤを加熱試験器７０が取得した時刻情報とを、発報情報として加熱試験器７０から読み込み、また、火災信号とこの火災信号が発生した時刻情報と復旧情報とこの復旧情報が発生した時刻情報とを、回線情報として火災受信機ＲＥから読み込む手段である。上記復旧情報は、発生した火災信号が消去され、監視状態に戻ることを示す情報または手動復旧したことを示す情報である。
【００３５】
ソート手段８２は、火災感知器のＩＤを火災感知器が取得した時刻情報と、火災信号が発生した時刻情報と、復旧情報が発生した時刻情報とをソートする手段である。
【００３６】
点検票のデータ作成手段８３は、火災感知器のＩＤと火災感知器のＩＤを取得した時刻情報と、火災信号と火災信号が発生した時刻情報と、復旧情報とこの復旧情報が発生した時刻情報とを、ソート手段８２がソートした順に、点検票９１としてのデータを作成する手段である。
【００３７】
暗号化手段８４は、読込手段８１が読み込んだ情報を暗号化する手段である。保存手段８５は、暗号化手段８４が暗号化した情報を保存する手段である。
【００３８】
表示手段８６は、図３に示す点検票９１等を表示する装置である。
【００３９】
印刷開始ボタン８７は、点検票９１等の印刷を、プリンタ９０に開始させるボタンである。
【００４０】
時刻更新手段８８は、加熱試験器７０に設けられている時計の時刻、記憶装置Ｍ１に設けられている時計の時刻を、現在の正しい時刻に更新する手段である。
【００４１】
なお、火災感知器として火災感知器の代わりに煙感知器等を設けるようにしてもよい。また、火災感知器と煙感知器とを混在させてもよい。
【００４２】
プリンタ９０は、点検票９１をプリントする手段である。
【００４３】
端子台１００は、７つの端子台で構成されているが、以下では、そのうちの１つの端子台について説明する。
【００４４】
１つの端子台は、ケースＣ１と、導電性ばね３０と、足４１ａ、４１ｂと、解錠釦Ｂ１とを有する。
【００４５】
ケースＣ１は、図２に示すように、内部空間１１と、信号線用開口Ｈｓ１と、突片１３と、係止片１４と、チェックピン用開口Ｈｐ１と、解錠釦Ｂ１とを有し、導電性ばね３０を収容している。
【００４６】
信号線用開口Ｈｓ１は、火災感知器ＳＥ１〜ＳＥｎからの感知器回線１３０としての信号線Ｌ１を挿入する開口であり、信号線Ｌ１は、芯線２１と被覆２２とを有する。信号線Ｌ１を端子台１００に挿入する場合、その先端の被覆２２を剥ぎ、芯線２１を露出させ、露出した芯線２１をケースＣ１の信号線用開口Ｈｓ１に挿入し、信号線Ｌ１の先端部分である芯線２１を板状部４１ｃに当接させる。板状部４１ｃには、足４１ａ、４１ｂが接続されている。なお、足４１ａ、４１ｂ、板状部４１ｃは、プリント基板Ｐｂ１と電気的に接続される導電体である。
【００４７】
導電性ばね３０は、一端３１と、中央部３２と、他端３３と、被圧部３４とを有する。
【００４８】
突片１３とケースＣ１の内壁とによって、ばね３０の中央部３２を挟み、係止片１４が、導電性ばね３０の一端３１を係止している。また、被圧部３４は突片１３を軸として、ばね圧により他端３３を変位させることができ、信号線Ｌ１がケースＣ１に挿入されていない状態では、ばね３０の他端３３が、板状部４１ｃに接触しているか、板状部４１ｃに近接している。
【００４９】
足４１ａ、４１ｂは、火災受信機ＲＥに設けられているプリント基板ＰＢ１の所定部位に接続する位置に配置されている。つまり、足４１ａ、４１ｂは、火災受信機ＲＥのプリント基板ＰＢ１に接続する導電性の足である。
【００５０】
また、導電性ばね３０は、ケースＣ１の内部で、板状部４１Ｃを介して信号線Ｌ１と導電性の足４１ａ、４１ｂとを互いに接触させる接触手段の例である。
【００５１】
解錠釦Ｂ１は、先端部６１を有し、通常は、先端部６１がばね３０の被圧部３４に接触しているだけか、または被圧部３４に接触せずに近接している。解錠釦Ｂ１の、図２中、上部を検査員等が押圧すると、解錠釦Ｂ１が、図２中、下方にスライドし、先端部６１がばね３０の被圧部３４を押圧し、突片１３を軸に回動してばね３０の他端３３による芯線２１への押圧力を、解除するので、信号線Ｌ１の芯線２１を抜くことができ、その結果、板状部４１ｃとの接触が解除される。
【００５２】
端子台用接続治具５０は、図１に示すように、チェックピンＣＰ１〜ＣＰ７と、筐体５１と、フック５２、５３とを有し、チェックピンＣＰ１〜ＣＰ７は、リード線５４を介して、火災受信機ＲＥに設けられている記憶装置Ｍ１に接続されている。
【００５３】
チェックピンＣＰ１〜ＣＰ７のそれぞれは、火災受信機ＲＥにおける端子台１００に収容されている火災感知器ＳＥ１〜ＳＥｎからの信号線Ｌ１〜Ｌ７のそれぞれとの間で、端子台１００の内部で接続されるピンである。なお、信号線Ｌ２〜Ｌ７のそれぞれは、図示していないが、信号線Ｌ１と同様の線である。
【００５４】
筐体５１は、チェックピンＣＰ１〜ＣＰ７を固定する筐体である。
【００５５】
フック５２は、筐体５１に設けられている第１の係合手段の例であって、端子台１００に設けられている第２の係合手段（引っかかり部５２ａ）と係合する第１の係合手段の例である。フック５３は、筐体５１に設けられている第１の係合手段の例であって、端子台１００に設けられている第２の係合手段（引っかかり部５２ａに対応する引っかかり部）と係合する第１の係合手段の例である。
【００５６】
チェックピンＣＰ１は、導電性を有し、チェックピン用開口Ｈｐ１に挿入されると、その先端がばね３０の中央部３２に接続され、つまり、信号線Ｌ１の芯線２１が、導電性ばね３０を介してチェックピンＣＰ１に接続される。一方、チェックピンＣＰ１の他端が、リード線５４を介して記憶装置Ｍ１に接続されている。
【００５７】
チェックピンＣＰ２〜ＣＰ７のそれぞれは、チェックピンＣＰ１と同様の構成を有する。なお、チェックピンの数は、１つであってもよく、また複数であってもよい。
【００５８】
次に、端子台１００の動作について説明する。
【００５９】
まず、火災感知器ＳＥ１〜ＳＥｎからの信号線Ｌ１、Ｌ２、……、Ｌ７のそれぞれの先端部の被覆２２が剥がされ、芯線２１が露出した状態で、信号線用開口Ｈｓ１、Ｈｓ２、……、Ｈｓ７のそれぞれに挿入されている。この状態で、つまり、信号線Ｌ１の先端部の被覆２２が剥がされ、芯線２１が露出した状態で、信号線用開口Ｈｓ１に挿入されている。そして、端子台の足４１ａ、４１ｂは火災受信機ＲＥのプリント基板ＰＢ１に接触され、接続されている。なお、足４１ａ、４１ｂ、板状部４１ｃの組は、信号線Ｌ２、…、Ｌ７のそれぞれに設けられている。
【００６０】
この状態で、端子台用接続治具５０を端子台１００に近づけ、チェックピンＣＰ１、ＣＰ２、……、ＣＰ７のそれぞれを、チェックピン用開口Ｈｐ１、Ｈｐ２、……、Ｈｐ７に挿入し、フック５２を引っかかり部５２ａに引っかけ、フック５３を図示しない引っかかり部（引っかかり部５２ａの反対側に位置する）に引っかける。これによって、端子台用接続治具５０が、端子台１００に固定される。
【００６１】
上記実施例によれば、チェックピンＣＰ１〜ＣＰ７が予め配置されている端子台用接続治具５０を、端子台１００に被せる（接続する）だけで、端子台用接続治具５０の各チェックピンＣＰ１〜ＣＰ７を介して、火災感知器からの信号線Ｌ１〜Ｌ７のそれぞれの信号（各火災感知器回線の状態）を取得することができ、個々のチェックピンＣＰ１〜ＣＰ７を個別に装着する必要がなく、この取得された火災感知器ＳＥ１〜ＳＥｎからの各信号が記憶装置Ｍ１に記憶される。記憶装置Ｍ１に記憶されている各火災感知器回線１３０の状態は、火災感知器ＳＥ１〜ＳＥｎに対応して記憶される。よって、各感知器回線１３０の状態を、迅速かつ確実に検出することができる。感知器回線１３０の状態は、回線１３０が短絡された状態と、火災監視時の電圧の状態である。つまり、火災感知器ＳＥ１〜ＳＥｎが火災信号を送出すると、回線１３０が短絡された状態になり、火災復旧すると、回線１３０が火災監視時の電圧の状態になる。
【００６２】
上記実施例によれば、複数のチェックピンＣＰ１〜ＣＰ７が、端子台１００に設けられているチェックピン用開口Ｈｓ１〜Ｈｓ７のそれぞれに対応しているので、チェックピンＣＰ１〜ＣＰ７のそれぞれをチェックピン用開口Ｈｓ１〜Ｈｓ７のそれぞれに差し込み、導通を取る作業が容易である。
【００６３】
したがって、上記実施例によれば、火災受信機ＲＥの端子部に記憶装置を取り付けやすくすると共に、火災感知器ＳＥ１〜ＳＥｎからの信号を受信機ＲＥ側がチェックする場合、火災感知器ＳＥ１〜ＳＥｎからの信号を、より簡便にチェックすることができる。
【符号の説明】
【００６４】
１００…端子台、Ｈｐ１〜Ｈｐ７…チェックピン用開口、  ３０…導電性ばね、  Ｌ１…感知器からの信号線、  ２１…芯線、  ４１ａ、４１ｂ…足、４１ｃ…板状部、  ５０…端子台用接続治具、  ＣＰ１〜ＣＰ７…チェックピン、  Ｍ１…記憶装置。
【図１】
0005709608.tif 000002
【図２】
0005709608.tif 000003
【図３】
0005709608.tif 000004